(57)【特許請求の範囲】
【請求項１】
視機能検査用の各種視標を被検眼に呈示する視力表装置において、
被検眼に呈示する複数種類の視標を切り替え可能に配列した視標板と、
前記視標板の視標を照明する光源及び照明光学系と、
少なくとも凹面鏡を有し、前記視標板の視標を被検眼から所定の距離に呈示する呈示光学系と、
前記視標板の前面に重ね合わせる状態で配置され、前記視標板が呈示する各視標の縦方向のマスクを行う複数個のマスク部を切り替え可能に配列した第１のマスク板と、
第１のマスク板の前面に重ね合わせる状態で配置され、前記視標板が呈示する各視標の横方向のマスクを行う複数個のマスク部を切り替え可能に配列した第２のマスク板とを有し、
前記視標板による視標切り替え、第１、第２のマスク板によるマスク切り替えの組み合わせにより、マスクをかけた状態の視標を被検眼に呈示可能としたことを特徴とする視力表装置。
【請求項２】
視機能検査用の各種視標像を被検眼に呈示する視力表装置において、
被検眼に呈示する複数種類の視標を切り替え可能に円形配列した視標板と、
前記視標板の視標を照明する光源及び照明光学系と、
少なくとも凹面鏡を有し、前記視標板の視標を被検眼から所定の距離に呈示する呈示光学系と、
前記視標板の前面に重ね合わせる状態で配置され、前記視標板が呈示する各視標の縦方向のマスクを行う複数個のマスク部を切り替え可能に配列した円板状の第１のマスク板と、第１のマスク板の前面に重ね合わせる状態で配置され、前記視標板が呈示する各視標の横方向のマスクを行う複数個のマスク部を切り替え可能に配列した円板状の第２のマスク板とからなるマスク機構と、
所望の視標、前記複数個のマスク部による所望のマスク状態を指示する指示手段と、
この指示手段による指示情報に基づき、前記視標板、第１、第２のマスク板を個別に回転駆動し、所望の視標における所望領域以外に横方向、縦方向又はこれらの組み合わせからなる所望のマスクをかけた状態の視標像を呈示させる駆動系と、
を有すること特徴とする視力表装置。
【発明の詳細な説明】
【０００１】
【発明の属する技術分野】
本発明は、視力表装置に関し、詳しくは例えば凹面鏡及び半透鏡を使用した省スペース型に構成され、視標像を被検眼に視認させて視機能検査を行う際に使用される視力表装置に関するものである。
【０００２】
【従来の技術】
従来の凹面鏡と半透鏡を使用し省スペース型に構成された検眼装置の場合、所望の視標像を被検眼に視認させる構成は例えば以下のようなものである。
【０００３】
即ち、視標投影光学系の光路に配置した多数の視標を表示した視標板の隣りに複数個のマスク部を有する一枚の円形マスク板を回転可能に配置し、視標板の所望の視標と円形マスク板の所望のマスク部の選択、組み合わせにより、所望の視標に前記マスク部による所望のマスクをかけた状態の視標を前記視標投影光学系の光路に臨ませるようにしている。
【０００４】
また、マスクをかけた所望の視標像を被検眼に視認させる別の例としては、視標板の隣りに順次複数個のマスク部を有する二枚の円形マスク板を回転可能に配置し、二枚の円形マスク板の各マスク部の組み合わせにより所望の視標に所望のマスクをかけた状態の視標を前記視標投影光学系の光路に臨ませるように構成したものも知られている。
【０００５】
【発明が解決しようとする課題】
しかしながら、上述した従来の省スペース型の検眼装置において、一枚の円形マスク板を使用した構成の場合、検眼装置自体の大きさとの関係上から定められる円形マスク板の直径の寸法的制限から、設けられるマスク数に制限が生じ、被検眼に視認させる種々のマスクをかけた状態の視標像の個数にも制約が生じて視機能検査の万全を期し難いという問題がある。逆にマスク数を多くしようとすると円形マスク板が大径になってしまい、省スペース型の検眼装置を構成する意義が薄れてしまう。
【０００６】
また、この構成では、ある一つのマスクをかけた状態の視標から、一枚の円形マスク板を回転させて異なるマスクをかけた状態の視標に変更する場合、一枚の円形マスク板を用いている構造上、マスクをかけた状態の視標像を視認している被検眼にとっては複数種の視標像が流れて行くように見え、被検眼に違和感を生じさせてしまう。
【０００７】
また、単に二枚の円形マスク板を使用した構成の場合、二枚の円形マスク板に各々単に複数種のマスク部を無作為に設けただけの構成であり、マスクをかけた状態の視標像を視認する被検眼の奥行き感の認識機能を何等考慮しておらず、この結果、二枚の円形マスク板を使用した際に被検眼に対して奥行き感のある、即ち、違和感のある視標像を視認させてしまい、やはり視機能検査の万全を期し難いという問題がある。
【０００８】
本発明は、上記従来例の問題に鑑み、省スペース型に構成でき、被検眼に違和感を生じさせることなく円滑かつ速やかに所望のマスクをかけた状態の視標像を視認させることが可能で、視機能検査の万全を期すことが可能な視力表装置を提供するものである。
【０００９】
請求項１記載の発明は、視機能検査用の各種視標を被検眼に呈示する視力表装置において、被検眼に呈示する複数種類の視標を切り替え可能に配列した視標板と、前記視標板の視標を照明する光源及び照明光学系と、少なくとも凹面鏡を有し、前記視標板の視標を被検眼から所定の距離に呈示する呈示光学系と、前記視標板の前面に重ね合わせる状態で配置され、前記視標板が呈示する各視標の縦方向のマスクを行う複数個のマスク部を切り替え可能に配列した第１のマスク板と、第１のマスク板の前面に重ね合わせる状態で配置され、前記視標板が呈示する各視標の横方向のマスクを行う複数個のマスク部を切り替え可能に配列した第２のマスク板とを有し、前記視標板による視標切り替え、第１、第２のマスク板によるマスク切り替えの組み合わせにより、マスクをかけた状態の視標を被検眼に呈示可能としたことを特徴とするものである。
【００１０】
この発明によれば、視標の縦方向のマスクを行う第１のマスク板、横方向のマスクを行う第２のマスク板を重ね合わせる配置とし、これら第１、第２のマスク板の各マスク部の切り替えの組み合わせにより視標における所望領域以外に所望のマスクを行うようにしているので、迅速かつ円滑に視標に対するマスク切り替えを実行でき、これにより、被検眼が視認する視標像が流れて行くように見えることが防止され、視検眼に違和感を生じさせることなく視機能検査を実行していくことができる。
【００１１】
請求項２記載の発明によれば、視機能検査用の各種視標像を被検眼に呈示する視力表装置において、被検眼に呈示する複数種類の視標を切り替え可能に円形配列した視標板と、前記視標板の視標を照明する光源及び照明光学系と、少なくとも凹面鏡を有し、前記視標板の視標を被検眼から所定の距離に呈示する呈示光学系と、前記視標板の前面に重ね合わせる状態で配置され、前記視標板が呈示する各視標の縦方向のマスクを行う複数個のマスク部を切り替え可能に配列した円板状の第１のマスク板と、第１のマスク板の前面に重ね合わせる状態で配置され、前記視標板が呈示する各視標の横方向のマスクを行う複数個のマスク部を切り替え可能に配列した円板状の第２のマスク板とからなるマスク機構と、所望の視標、前記複数個のマスク部による所望のマスク状態を指示する指示手段と、この指示手段による指示情報に基づき、前記視標板、第１、第２のマスク板を個別に回転駆動し、所望の視標における所望領域以外に横方向、縦方向又はこれらの組み合わせからなる所望のマスクをかけた状態の視標像を呈示させる駆動系と、を有すること特徴とするものである。
【００１２】
この発明によれば、指示手段により、所望の視標、前記第１、第２のマスク板における複数個のマスク部による所望のマスク状態を指示することによって、駆動系が前記視標板、第１、第２のマスク板を個別に駆動し、横一列、縦一列又はこれらの組み合わせからなる所望のマスク（例えば一文字マスク）をかけた状態の視標を視標投影光学系に臨ませる。
【００１３】
これにより所望のマスクをかけた状態の所望の視標像を被検眼に呈示させることができ、請求項１の発明と同様、被検眼が視認する視標像が流れて行くように見えることが防止され、視検眼に違和感を生じさせることなく視機能検査を実行していくことができる。また、第１、第２のマスク板を用いた構成であるため、一枚のマスク板を用いた場合に比べ、各マスク板の直径を小径とすることができ、より省スペース型とすることができる。
【００１４】
【発明の実施の形態】
以下に、本発明の実施の形態を詳細に説明する。
【００１５】
図１、図２は、本発明の実施の形態１の検眼装置３０は、視標呈示手段１を含むいわゆる省スペース型の検眼システムの全体構成を示すものである。
【００１６】
この検眼システムは、検眼テーブル３２上に配置した検眼装置３０及びレフラクトメータ３３と、前記検眼テーブル３２から所定距離Ｌだけ離れた位置に、配置した検眼手段である検眼ユニット７と対向配置（例えば距離Ｌは離れて）視力表装置としての箱型状の視標呈示手段１と、前記検眼テーブル３２上に配置した各種操作入力や検眼情報の表示を行う操作表示ユニット３４と、前記検眼テーブル３２上又は任意の位置に配置され前記視標呈示手段１とワイヤレスで通信（例えば赤外線通信）を行い、所望の視標、所望の視標に対する所望のマスク状態を指示する指示手段としてのリモートコントローラ（以下「リモコン」という）５５とを有している。
【００１７】
前記箱型状の視標呈示手段１は、図３に示すように、筐体１Ａ内に、光源２、反射鏡９、コンデンサーレンズ３、視標板４、拡散レンズ１１、金属ミラー１０、半透鏡５、凹面鏡６を備え、光源２、反射鏡９、コンデンサーレンズ３を経て照明された視標板４からの光束を、金属ミラー１０にて上方に反射し、半透鏡５を透過させ、凹面鏡６にて下方に反射し、４５度傾斜配置（図３においては紙面表裏方向に４５度傾斜配置）の半透鏡５にて被検眼Ｅに向けて反射すように構成している。この４５度に配置された半透鏡５の角度を変えることにより、被検眼Ｅの上下方向の位置合わせを行う。
【００１８】
この結果、被検者が、前記視標呈示手段１の筐体１Ａに設けた矩形状の窓部１ｂから、視標呈示手段１内の半透鏡５を直接視認することにより、被検眼Ｅの例えば前方５ｍの距離に前記視標板４に付されている視標の像である視標像（虚像）を視認することになる。
【００１９】
前記コンデンサーレンズ３と、視標板４との間には、光束を拡散し均一化する拡散板１４、赤外光成分を除去するフィルタ１３、防熱フィルタ１２を設けている。
【００２０】
前記視標呈示手段１は、さらに、図３に示すように、前記視標板４と、金属ミラー１０との間に、視標板４との間に微小間隔をおいてかつ順に重ね合わせるように配置した円板状の第１のマスク板２１、円板状の第２のマスク板２２及び第１のマスク板２１、第２のマスク板２２を駆動するマスク駆動部６０からなるマスク機構を設けている。
【００２１】
マスク駆動部６０は、第１のマスク板２１の外周に掛け渡したベルト６１を原動プーリ６２に掛け渡した例えばパルスモータからなる第１のモータ６３と、第２のマスク板２２の中心部を直接駆動する例えばパルスモータからなる第２のモータ６４とを、筐体１Ａ内に配置することにより構成としている。
【００２２】
また、前記視標板４は、その中心部に連結した例えばパルスモータからなる視標板モータ６５により直接駆動するようになっている。
【００２３】
図４は、前記視標呈示手段１の制御系を示すものであり、プログラムメモリ４１に格納された動作プログラムに基づき全体の制御を行う制御部４０を有し、この制御部４０に前記第１のモータ６３、第２のモータ６４、視標板モータ６５を各々駆動するモータドライバ７３、７４、７５を接続している。
【００２４】
さらに、制御部４０に前記リモコン５５との間でワイヤレスで各種情報の通信を行う通信インターフェース７６を接続している。この通信インターフェース７６用の通信窓１ｃが図３示すように前記筐体１Ａの例えば上隅部に設けられている。
【００２５】
次に、図５、図６を参照して、前記第１のマスク板２１、第２のマスク板２２について説明する。
【００２６】
前記第１のマスク板２１には、図５に示すように、前記視標板４が呈示する各視標の縦方向のマスクを行う複数個のマスク部２１ａ乃至２１ｈを円形配置に配列している。さらに、前記第１のマスク板２１には、マスク機能を有しない開口部２１ｘ、円形マスク部２１ｚ等を円形配置に配列している。
【００２７】
前記第２のマスク板２２には、図６に示すように、前記第１の円形マスク板２１の前面に重ね合う状態で、前記視標板４が呈示する各視標の横方向のマスクを行う複数個のマスク部２２ａ乃至２２ｅを円形配置に配列している。さらに、前記第２のマスク板２２には、マスク機能を有しない開口部２２ｘ、円形マスク部２２ｚ等を円形配置に配列している。
【００２８】
図７は、前記視標板４に対して第１のマスク板２１、第２のマスク板２２を重ね合わせた状態を示す概略図である。
【００２９】
次に、図８を参照して、前記リモコン５５について説明する。
【００３０】
このリモコン５５には、図８に示すように、前記視標板４が呈示する多数り視標に対応した視標マークが付されかつ各々操作スイッチを備えた視標操作部５６と、前記第１のマスク板２１、第２のマスク板２２によるマスク状態を指示するマスク状態指示部５７と、視標操作部５６の操作スイッチの操作に応じて対応する視標マークを表示する（図８では、５列３行構成の１．２，１．５，２．０のランドルト環マークを表示している）表示部５８と、電源スイッチ５９とを有している。
【００３１】
マスク状態指示部５７には、上下、左右を示す指示マーク５８ａ、５８ｂ、５８ｃ、５８ｄと、上ボタン５９ａ、下ボタン５９ｂ、左ボタン５９ｃ、右ボタン５９ｄが設けられている。
【００３２】
次に、本実施の形態１の視標呈示手段１における所望の視標に対する所望のマスク状態を実行する場合の動作について、図９をも参照して説明する。
【００３３】
前記リモコン５５の視標操作部５６により、１．２，１．５，２．０の視力値に対応する５列３行構成の視標マークを選択すると、リモコン５５からワイヤレスで前記通信インターフェース７６を介して制御部４０に対応する信号が送られ、これにより、制御部４０は、前記モータドライバ７５を制御して視標板モータ６５を回転駆動し視標板４を回転させて、１．２，１．５，２．０の視力値に対応する５列３行構成の視標を前記光源２からの光路に臨ませる。
【００３４】
また、この状態で、前記マスク状態指示部５７の、指示マーク５８ａ、５８ｂ、５８ｃ、５８ｄを参照しながら、上ボタン５９ａ、下ボタン５９ｂ、左ボタン５９ｃ、右ボタン５９ｄを適宜操作し、前記第１のマスク板２１、第２のマスク板２２を視標板４を回転させ場合と同様にして回転させる。
【００３５】
図９の上段は、前記５列３行構成の視標に対して、第１のマスク板２１のマスク部２１ｄ（実線で示す）、第２のマスク板２２のマスク部２２ｄ（点線で示す）による一文字マスクをかけた状態を示すものである。
【００３６】
この場合、上ボタン５９ａ、下ボタン５９ｂ、左ボタン５９ｃ、右ボタン５９ｄの操作で一文字マスク上下、左右に任意に移動できる。
【００３７】
図９の中段は、前記５列３行構成の視標に対して、第１のマスク板２１のマスク部２１ｄ（実線で示す）、第２のマスク板２２の開口部２２ｘ（点線で示す）による横一列マスクをかけた状態を示すものである。
【００３８】
この場合、上ボタン５９ａ、下ボタン５９ｂの操作で横一列マスクを上下に任意に移動できる。
【００３９】
図９の下段は、前記５列３行構成の視標に対して、第１のマスク板２１の開口部２１ｘ（実線で示す）、第２のマスク板２２のマスク部２２ｄ（点線で示す）による縦一列マスクをかけた状態を示すものである。
【００４０】
この場合、左ボタン５９ｃ、右ボタン５９ｄの操作で縦一列マスクを左右に任意に移動できる。
【００４１】
このようにして、本実施の形態によれば、所望のマスクをかけた状態の所望の視標像を被検眼Ｅに呈示させることができ、また、第１のマスク板２１、、第２のマスク板２２によるマスク状態の変化は一挙に行われるため、被検眼Ｅが視認する視標像が流れて行くように見えることが防止され、視検眼Ｅに違和感を生じさせることなく視機能検査を実行していくことができる。
【００４２】
さらに、円板状の第１、第２のマスク板２１、２２を用いた構成であるため、一枚の円形マスク板を用いた場合に比べ、各マスク板の直径を小径とすることができ、より省スペース型とすることができる。
【００４３】
図１０は、前記第２のマスク板２２の変形例を示すものであり、マスク部に加えて、主として偏光視標を円形配列して第２のマスク板２２ａとしたものである。
【００４４】
即ち、第２のマスク板２２ａには、図１１に拡大して示すように、固視点視標９１、ウォース４点視標９２、立体視視標９３、偏光十字視標９４、固視点付偏光十字視標９５を順に配置している。
【００４５】
このような第２のマスク板２２ａを採用することにより、視標板４側の視標配列個数を減らすことができ、視標板４の小径化を図り、さらには視標呈示手段１の小形化を図ることができる。
【００４６】
尚、上述した第１のマスク板２１、第２のマスク板２２による視標に対するマスク機構は、パネル式で各種指標を呈示する例えば５ｍ検眼用の視力表装置に対しても応用可能である。
【００４７】
【発明の効果】
請求項１記載の発明によれば、迅速かつ円滑に所望の視標に対するマスク切り替えを実行でき、被検眼が視認する視標像が流れて行くように見えることが防止され、視検眼に違和感を生じさせることなく視機能検査を実行していくことができる視力表装置を提供できる。
【００４８】
請求項２記載の発明によれば、請求項２記載の発明と同様な効果を奏するとともに、マスク板の直径を小径とすることができ、より省スペース型とすることができる視力表装置を提供できる。
【図面の簡単な説明】
【図１】本発明の実施の形態の検眼システムの全体構成を示す概略平面図である。
【図２】本発明の実施の形態の検眼システムの全体構成を示す概略側面図である。
【図３】本発明の実施の形態の視標呈示手段の正面側から見た概略構成図である。
【図４】本発明の実施の形態の視標呈示手段の制御系を示すブロック図である。
【図５】本発明の実施の形態の視標呈示手段の第１のマスク板の正面図である。
【図６】本発明の実施の形態の視標呈示手段の第２のマスク板の正面図である。
【図７】本発明の実施の形態の視標呈示手段の視標板、第１のマスク板、第２のマスク板を重ね合わせた状態の正面ずである。
【図８】本発明の実施の形態のリモコンを示す平面図である。
【図９】本発明の実施の形態の視標呈示手段における視標板に対する、第１のマスク板、第２のマスク板によるマスク状態を示す説明図である。
【図１０】本発明の実施の形態の視標呈示手段の第２のマスク板へ偏光視標を設けた場合を示す正面図である。
【図１１】本発明の実施の形態の視標呈示手段の第２のマスク板へ設ける偏光視標の拡大説明図である。
【符号の説明】
１  視標呈示手段
１Ａ  筐体
２  光源
４  視標板
５  半透鏡
６  凹面鏡
１０  金属ミラー
２１  第１のマスク板
２２  第２のマスク板
２２ａ  第２のマスク板
４０  制御部
５５  リモコン
６０  マスク駆動部
６３  第１のモータ
６４  第２のモータ
６５  視標板モータ
Ｅ  被検眼
【図１】
0004562850.tif 000002
【図２】
0004562850.tif 000003
【図３】
0004562850.tif 000004
【図４】
0004562850.tif 000005
【図５】
0004562850.tif 000006
【図６】
0004562850.tif 000007
【図７】
0004562850.tif 000008
【図８】
0004562850.tif 000009
【図９】
0004562850.tif 000010
【図１０】
0004562850.tif 000011
【図１１】
0004562850.tif 000012